(57)【要約】  【課題】光学系ユニットの組立作業性と防塵性の向上を図ることが可能なプロジェクタを提供する。  【解決手段】上側キャスティング３Ａの内側の所定位置に設けられリレイレンズ８の両側端部８ｌ、８ｒに接して該レンズ８を所定の角度で支持する支持台３６ｌ、３６ｒと、支持台３６ｌ、３６ｒにリレイレンズ８を固定する略逆凹形の固定具２０とを備える。各支持台３６ｌ、３６ｒの先端に溝３７を設け、根元近傍に固定具２０の両側部２０ｌ、２０ｒ先端を挿入する貫通孔３８ｌ、３８ｒを設ける。固定具２０の両側部２０ｌ、２０ｒにリレイレンズ８の両側端部８ｌ、８ｒ各支持台３６ｌ、３６ｒに押え付ける押え部２０ｃを設け、両側部２０ｌ、２０ｒ先端に各貫通孔３８ｌ、３８ｒに挿入されてこれらの縁に引っ掛かる返し部を設け、両側部部２０ｌ、２０ｒと横架部２０ｂの間に各溝３７内に嵌入されて支持台３６ｌ、３６ｒに引っ掛かる引っ掛け部２０ｄを設ける。【選択図】  図１
2007240770.tif 000002
【特許請求の範囲】
【請求項１】
光学部品と該光学部品を組み付ける上下分割型のフレームであるエンジンキャスティングとから構成される光学系ユニットを備えたプロジェクタにおいて、
一方の前記エンジンキャスティング内の所定の位置に設けられ、光学部品の一種であるリレイレンズの両側端部に接してリレイレンズを所定の角度で支持する突起状の１対の支持台と、
金属製のワイヤを略逆凹形に成形した弾性および耐候性を有する部材であって、前記支持台に前記リレイレンズを固定する固定具と、を備え、
前記各支持台の先端に溝を設け、根元近傍に前記固定具の上下に延びる両側部の先端を挿入する貫通孔を設け、
前記固定具の前記両側部に前記各支持台に支持された前記リレイレンズの両側端部を各支持台に押え付ける押え部を設け、両側部の先端に前記各貫通孔に挿入されて各貫通孔の縁に引っ掛かる返し部を設け、両側部から左右に延びて両側部間に架かる横架部に渡って前記各支持台の溝内に嵌入されて各支持台に引っ掛かる引っ掛け部を設け、
前記返し部の一方を前記リレイレンズに対して略垂直でかつリレイレンズから離れる方向へ突出させ、他方を前記リレイレンズに対して略平行でかつ前記一方の返し部から離れる方向へ突出させ、
前記貫通孔の一方を前記リレイレンズに対して略垂直でかつリレイレンズに近づく方向へ前記一方の返し部を挿入可能な程度に拡げ、他方を前記リレイレンズに対して略平行でかつ前記一方の貫通孔に近づく方向へ前記他方の返し部を挿入可能な程度に拡げるとともに前記リレイレンズに対して略垂直でかつリレイレンズから離れる方向へ前記一方の貫通孔と同程度に拡げ、
前記両貫通孔の間隔を前記固定具の両側部の間隔より小さくしたことを特徴とするプロジェクタ。
【請求項２】
光学部品と該光学部品を組み付けるフレームとから構成される光学系ユニットを備えたプロジェクタにおいて、
前記フレーム内の所定の位置に設けられ、光学部品の一種であるレンズの両側端部に接してレンズを所定の角度で支持する突起状の１対の支持台と、
前記支持台に前記レンズを固定する略逆凹形の固定具と、を備え、
前記各支持台の先端に溝を設け、根元近傍に前記固定具の上下に延びる両側部の先端を挿入する貫通孔を設け、
前記固定具の前記両側部に前記各支持台に支持された前記レンズの両側端部を各支持台に押え付ける押え部を設け、前記両側部の先端に前記各貫通孔に挿入されて各貫通孔の縁に引っ掛かる返し部を設け、前記両側部と左右に延びて両側部間に架かる横架部との間に前記各支持台の溝内に嵌入されて各支持台に引っ掛かる引っ掛け部を設けたことを特徴とするプロジェクタ。
【請求項３】
請求項２に記載のプロジェクタにおいて、
前記返し部の一方を前記レンズに対して略垂直な方向へ突出させ、他方を前記レンズに対して略平行な方向へ突出させ、
前記両貫通孔の一方を前記レンズに対して略垂直な方向へ前記一方の返し部を挿入可能な程度に拡げ、他方を前記レンズに対して略平行な方向へ前記他方の返し部を挿入可能な程度に拡げ、
前記両貫通孔の間隔と前記固定具の両側部の間隔とを異ならせたことを特徴とするプロジェクタ。
【請求項４】
請求項２または請求項３に記載のプロジェクタにおいて、
前記返し部の一方を前記レンズから離れる方向へ突出させ、他方を前記一方の返し部から離れる方向へ突出させ、
前記貫通孔の一方を前記レンズに近づく方向へ前記一方の返し部を挿入可能な程度に拡げ、他方を前記一方の貫通孔に近づく方向へ前記他方の返し部を挿入可能な程度に拡げたことを特徴とするプロジェクタ。
【発明の詳細な説明】
【技術分野】
【０００１】
本発明は、プロジェクタの光学系ユニットにおけるレンズの保持構造に関するものである。
【背景技術】
【０００２】
図６は、ＤＬＰ（Digital Light  Processing）方式のプロジェクタ１００の概略構造を示す図である。プロジェクタ１００の本体１内には、光学系、制御系、空調系、および電源系のユニットがそれぞれ設けられている。図では、光学系ユニット１Ａのみを図示している。２はランプとリフレクタから成る光源、３はマグネシウム製のフレームであるエンジンキャスティングである。エンジンキャスティング３は上下分割型のフレームであって、上側フレームと下側フレームとを嵌め合わせてネジ等で締結することにより組み立てられる。図では内部構造を示すために、エンジンキャスティング３の外形のみ図示している。エンジンキャスティング３には、下記の光学部品がそれぞれ組み付けられている。４はエンジンキャスティング３の側部に設けられた孔と該孔内に装着されたレンズ等から成る入光口であって、光源２から発せられた白色光をエンジンキャスティング３内に入光させる。５は赤、緑、青のカラーフィルタが円周方向に交互に配列された円板から成るカラーホイールであって、図示しないモータによって回転して、入光口４から入光された白色光をカラーフィルタのいずれかを透過させて赤色光、緑色光、青色光に分離する。６は内面にミラーが貼り付けられた導光筒であって、カラーホイール５で分離された各色光を分散しないように導く。７は導光筒６によって導かれた光を反射するミラー、８はミラー７で反射された光の光束を整えるリレイレンズである。９は半導体メモリ上に数十万個の微小なマイクロミラー（図示省略）が集積されたＤＭＤ（Digital Micromirror Device）であって、メモリセルが割り当てられた個々のマイクロミラーにより画素が構成される。ＤＭＤ９のマイクロミラーは、±１２°の２方向に傾動することができる構造になっていて、メモリ値に応じて静電吸引力によりいずれかの方向に傾動し、傾動方向によってＯＮ／ＯＦＦの２値の状態をとる。１０はＤＭＤ９を実装した基板、１１はＤＭＤ９で生じた熱を放熱するヒートシンクである。１２は軸方向に伸縮可能な筒と該筒内に装着された複数枚のレンズ等から成るプロジェクションレンズであって、ＤＭＤ９から出射する光をスクリーン１３上に投射する。
【０００３】
矢印で示すように、光源２から発せられた白色光は入光口４を通り、カラーホィール５のいずれかのカラーフィルタを透過して、赤色光、緑色光、青色光に分離される。そして、各色光は導光筒６に導かれ、プロジェクションレンズ１２の下側をくぐって、ミラー７で所定角度上向きに反射し、リレイレンズ８に入射する。入射した光は、リレイレンズ８を透過する際にリレイレンズ８によって曲げられかつ集光させられて、ＤＭＤ９のマイクロミラーへ照射される。このとき、マイクロミラーがＯＮ状態にあるときは、該ミラーで所定角度上向きに反射された光が、プロジェクションレンズ１２に取り込まれてスクリーン１３に投射される。また、マイクロミラーがＯＦＦ状態にあるときは、該ミラーでＯＮ状態のときよりも大きな所定角度で上向きに反射された光が、プロジェクションレンズ１２の上方へ向けられて該レンズ１２に取り込まれずスクリーン１３に投射されない。つまり、プロジェクタ１００は、入力される映像信号等に基づいてＤＭＤ９の個々のマイクロミラーの動作状態をＯＮ／ＯＦＦに制御することにより、ＤＭＤ９に映像を形成して、該映像をプロジェクションレンズ１２を通してスクリーン１３に表示する。
【０００４】
次に、従来のエンジンキャスティング３への各光学部品の組み付け構造を説明する。図７は、従来のエンジンキャスティング３の下側フレーム（以下、「下側キャスティング」という。）３Ｂの内側を示す斜視図である。図８は、下側キャスティング３Ｂの外側（図７の裏側）を示す斜視図である。図７において、下側キャスティング３Ｂの内側の所定の位置には、前述した入光口４およびカラーホィール５を組み付ける組付部４１、導光筒６を組み付ける組付部４２、プロジェクションレンズ１２を組み付ける組付部４３、ミラー７を組み付ける組付部４４、ＤＭＤ９、基板１０、およびヒートシンク１１を組み付ける組付部４５、リレイレンズ８を組み付ける組付部４６がそれぞれ下側キャスティング３Ｂと一体で形成されている。組付部４６には、リレイレンズ８の両側端部８ｌ、８ｒに接してリレイレンズ８を所定の角度で支持する突起状の一対の支持台４７と、該支持台４７の根元近傍に示す貫通孔４８が形成されている。光学系ユニット１Ａの組立工程では、下側キャスティング３Ｂの内側を上方に向けた状態で、各組付部４１〜４６に上記各光学部品４〜１２を組み付けて行く。その際、リレイレンズ８は固定具４０によって支持台４７に固定され、リレイレンズ８以外の光学部品４〜７、９〜１２はネジ等により組付部４１〜４６に固定される。図ではリレイレンズ８のみ組み付けた状態を図示している。
【０００５】
図９は、従来の固定具４０を示す図であって、（ａ）が斜視図、（ｂ）が側面図である。図９において、固定具４０は、金属製のワイヤを略凹形に成形した部材である。固定具４０の上下に延びる両側部４０ａには、前後方向（図９で奥行き方向）へ山形に突出するように曲げられた押え部４０ｃが形成されている。両側部４０ａの先端には、前後方向へ平行に突出してさらに下方を向くように曲げられた引っ掛け部４０ｄが形成されている。
【０００６】
下側キャスティング３Ｂの組付部４６にリレイレンズ８を組み付ける際は、先ず図８に示す下側キャスティング３Ｂの裏側から貫通孔４８に固定具４０の両側部４０ａを先端より挿入して行き、両側部４０ａ間に架かる横架部４０ｂを下側キャスティング３Ｂの裏側に設けた係合部４９に係合する。貫通孔４８は、固定具４０の引っ掛け部４０ｄおよび押え部４０ｃを挿入可能な程度の大きさに前後方向（図７のリレイレンズ８に対して垂直な方向）へ拡げられている。次に、下側キャスティング３Ｂの内側へ突出した固定具４０の側部４０ａを下側キャスティング３Ｂから抜けないように保持した状態で、支持台４７にリレイレンズ８を載置する。そして、固定具４０をリレイレンズ８側へ倒して、図７に示すように両側部４０ａの引っ掛け部４０ｄを各支持台４７の上部に引っ掛ける。すると、固定具４０が弾性変形して、両側部４０ａの各押え部４０ｃでリレイレンズ８の両側端部８ｌ、８ｒを支持台４７の側面に押え付けるので、リレイレンズ８が支持台４７に固定された状態となる。そして、他の光学部品４〜７、９〜１２も下側キャスティング３Ｂの組付部４１〜４６に固定した後、該下側キャスティング３Ｂに図示しない上側キャスティングを嵌め合わせてネジ等で締結することにより、エンジンキャスティング３の組み立てを完了する。
【０００７】
上記のように、被組み付け部材に組み付け部材を組み付けるために金属製のワイヤを曲げ加工して成形した部材を用いることは、下記の特許文献１に開示されている。特許文献１では、プロジェクタの投写管フレームとレンズフレームの間に設置された両フレームの間隔および傾きを規制するスペーサにレンズフレーム側へ向かう付勢力を与えるため、該スペーサのシャフト部分にレンズフレームにネジで取り付けられた金属製ワイヤから成る押え部材の端部の曲げ部を係合している。
【０００８】
【特許文献１】特開平８−７９６６８号公報
【発明の開示】
【発明が解決しようとする課題】
【０００９】
しかしながら、上述した従来の構造では、固定具４０以外の部品は下側キャスティング３Ｂの内側と対向する側から下側キャスティング３Ｂに組み付けられるのに対し、固定具４０は下側キャスティング３Ｂの外側と対向する側（裏側）から下側キャスティング３Ｂに組み付けなければならないので、下側キャスティング３Ｂの向きを変える等の手間が生じ、組立作業性が悪いという問題がある。また、下側キャスティング３Ｂの貫通孔４８が固定具４０の引っ掛け部４０ｄおよび押え部４０ｃを挿入可能に大きく拡げられているので、該貫通孔４８からエンジンキャスティング３内へ塵埃が進入し易いという問題がある。エンジンキャスティング３内への塵埃の進入は、プロジェクタ１００の使用時に該塵埃が光を遮ったり各光学部品に付着したりして、スクリーン１３への投射映像の品位を低下させる等の弊害を及ぼす。
【００１０】
本発明は、上記問題点を解決するものであって、その課題とするところは、光学系ユニットの組立作業性と防塵性の向上を図ることが可能なプロジェクタを提供することにある。
【課題を解決するための手段】
【００１１】
本発明は、光学部品と該光学部品を組み付けるフレームとから構成される光学系ユニットを備えたプロジェクタにおいて、フレーム内の所定の位置に設けられ、光学部品の一種であるレンズの両側端部に接してレンズを所定の角度で支持する突起状の１対の支持台と、支持台にレンズを固定する略逆凹形の固定具とを備え、各支持台の先端に溝を設け、根元近傍に固定具の上下に延びる両側部の先端を挿入する貫通孔を設け、固定具の両側部に各支持台に支持されたレンズの両側端部を各支持台に押え付ける押え部を設け、両側部の先端に各貫通孔に挿入されて各貫通孔の縁に引っ掛かる返し部を設け、両側部と左右に延びて両側部間に架かる横架部との間に各支持台の溝内に嵌入されて各支持台に引っ掛かる引っ掛け部を設ける。
【００１２】
このようにすると、フレームの内側と対向する側から、レンズを支持台に載置し、固定具の両側部先端の各返し部を各貫通孔に挿入して各貫通孔の縁に引っ掛け、各引っ掛け部を各支持台の溝内に嵌入して各支持台に引っ掛けることにより、レンズの両側端部が押え部により支持台に押え付けられるので、レンズを支持台に簡単に固定することができる。つまり、固定具を他の光学部品と同様に、フレームの内側と対向する側からフレーム内に組み付けることができるので、フレームの向きを変える等の手間が生じず、光学系ユニットの組立作業性の向上を図ることが可能となる。また、各貫通孔には固定具の各返し部しか挿入されないので、各貫通孔を各返し部が挿入可能な程度に小さく形成することにより、該貫通孔からフレーム内へ塵埃を進入させ難くすることができ、防塵性の向上を図ることが可能となり、これを以ってプロジェクタの投射映像の品位を長期間に渡って高く維持することも可能となる。
【００１３】
また、本発明では、前記返し部の一方をレンズに対して略垂直な方向へ突出させ、他方をレンズに対して略平行な方向へ突出させ、前記貫通孔の一方をレンズに対して略垂直な方向へ一方の返し部を挿入可能な程度に拡げ、他方をレンズに対して略平行な方向へ他方の返し部を挿入可能な程度に拡げ、該両貫通孔の間隔と固定具の両側部の間隔とを異ならせるのが好ましい。
【００１４】
このようにすると、固定具の各返し部をフレームの各貫通孔に引っ掛けることにより、固定具の両側部先端（返し部の近傍部分）と貫通孔の側壁とが所定の圧力で接するので、固定具がフレームから外れ難くなり、レンズを支持台に固定した状態の耐振動性および耐衝撃性を向上させることが可能となる。
【００１５】
また、本発明では、前記返し部の一方をレンズから離れる方向へ突出させ、他方を一方の返し部から離れる方向へ突出させ、前記貫通孔の一方をレンズに近づく方向へ一方の返し部を挿入可能な程度に拡げ、他方を一方の貫通孔に近づく方向へ他方の返し部を挿入可能な程度に拡げるのが好ましい。
【００１６】
このようにすると、固定具の各返し部がフレームの各貫通孔に確実に引っ掛かるので、固定具がフレームから外れ難くなり、レンズを支持台に固定した状態の耐振動性および耐衝撃性を向上させることが可能となる。
【００１７】
さらに、本発明の典型的な実施形態では、光学部品と該光学部品を組み付ける上下分割型のフレームであるエンジンキャスティングとから構成される光学系ユニットを備えたプロジェクタにおいて、一方のエンジンキャスティング内の所定の位置に設けられ、光学部品の一種であるリレイレンズの両側端部に接してリレイレンズを所定の角度で支持する突起状の１対の支持台と、金属製のワイヤを略逆凹形に成形した弾性および耐候性を有する部材であって、支持台にリレイレンズを固定する固定具とを備え、各支持台の先端に溝を設け、根元近傍に固定具の上下に延びる両側部の先端を挿入する貫通孔を設け、固定具の両側部に各支持台に支持されたリレイレンズの両側端部を各支持台に押え付ける押え部を設け、両側部の先端に各貫通孔に挿入されて各貫通孔の縁に引っ掛かる返し部を設け、両側部から左右に延びて両側部間に架かる横架部に渡って各支持台の溝内に嵌入されて各支持台に引っ掛かる引っ掛け部を設け、返し部の一方をリレイレンズに対して略垂直でかつリレイレンズから離れる方向へ突出させ、他方をリレイレンズに対して略平行でかつ一方の返し部から離れる方向へ突出させ、貫通孔の一方をリレイレンズに対して略垂直でかつリレイレンズに近づく方向へ一方の返し部を挿入可能な程度に拡げ、他方をリレイレンズに対して略平行でかつ一方の貫通孔に近づく方向へ他方の返し部を挿入可能な程度に拡げるとともにリレイレンズに対して略垂直でかつリレイレンズから離れる方向へ一方の貫通孔と同程度に拡げ、両貫通孔の間隔を固定具の両側部の間隔より小さくする。
【００１８】
このようにすると、一方のエンジンキャスティングの内側と対向する側から、リレイレンズを支持台に載置し、固定具の両側部先端の各返し部を各貫通孔に挿入して各貫通孔の縁に引っ掛け、各引っ掛け部を各支持台の溝内に嵌入して各支持台に引っ掛けることにより、リレイレンズの両側端部が押え部により支持台に押え付けられるので、リレイレンズを支持台に簡単に固定することができる。つまり、固定具を他の光学部品と同様に、一方のエンジンキャスティングの内側と対向する側から該エンジンキャスティング内に組み付けることができるので、エンジンキャスティングの向きを変える等の手間が生じず、光学系ユニットの組立作業性の向上を図ることが可能となる。また、各貫通孔には固定具の各返し部しか挿入されないので、各貫通孔を各返し部が挿入可能な程度に小さく形成することにより、該貫通孔からエンジンキャスティング内へ塵埃を進入させ難くすることができ、防塵性の向上を図ることが可能となり、これを以ってプロジェクタの投射映像の品位を長期間に渡って高く維持することも可能となる。また、固定具の各返し部を各貫通孔に挿入することにより、各返し部が各貫通孔に確実に引っ掛かり、固定具の両側部先端（返し部の近傍部分）が貫通孔の側壁から所定の圧縮力を受けてお互いに近づくように弾性変形するので、各返し部が各貫通孔から外れ難くなるとともに、両側部から各引っ掛け部に上記圧縮力が伝わって、各引っ掛け部が支持台に食い込んで外れ難くなり、リレイレンズを支持台に固定した状態の耐振動性および耐衝撃性を一層向上させることが可能となる。さらに、固定具が耐候性を有しているので、光源から発せられた光によりエンジンキャスティング内が１００℃以上の高温になる等の悪環境になっても、固定具でリレイレンズを支持台に安定して固定し続けることが可能となる。
【発明の効果】
【００１９】
本発明によれば、固定具を他の光学部品と同様に、フレームの内側と対向する側からフレーム内に組み付けて、リレイレンズを支持台に簡単に固定することができ、フレームの各貫通孔を固定具の各返し部が挿入可能な程度に小さく形成して、貫通孔からフレーム内へ塵埃を進入させ難くすることができるので、光学系ユニットの組立作業性および防塵性の向上を図ることが可能となる。
【発明を実施するための最良の形態】
【００２０】
以下、本発明の実施形態につき図面を参照して説明する。なお、本発明の実施形態に係るプロジェクタの光学系ユニットの構成は、背景技術の項で説明した図６のものと同様であるため、以下では、図６を本発明の実施形態として引用し、重複する説明は省略する。図６のプロジェクタ１００および光学系ユニット１Ａは、本発明の実施形態に係るプロジェクタおよび光学系ユニットの一実施形態を構成する。
【００２１】
図１〜図５は、本実施形態のエンジンキャスティング３への各光学部品の組み付け構造を説明するための図である。図１は、エンジンキャスティング３の上側フレーム（以下、「上側キャスティング」という。）３Ａの内側を該キャスティング３Ａの前側から見た斜視図である。図２は、上側キャスティング３Ａの内側を該キャスティング３Ａの後側から見た斜視図である。図３は、上側キャスティング３Ａの内側の要部を拡大した斜視図である。図４は、上側キャスティング３Ａの外側（図１および図３の裏側）の要部を拡大した斜視図である。図５は、本実施形態の固定具２０を示す斜視図であって、（ａ）と（ｂ）とで固定具２０を見る向きを反転して示している。先に説明した図７等では、下側キャスティング３Ｂに光学部品４〜１２を組み付けたが、本実施形態では、上側キャスティング３Ａに光学部品４〜１２が組み付けられる。
【００２２】
図１および図２において、上側キャスティング３Ａは、図７および図８に示した下側キャスティング３Ｂとは異なる図示しない下側キャスティングと嵌め合わされて、ネジ等で締結されることにより組み立てられる。上側キャスティング３Ａの内側の所定の位置には、前述した入光口４、カラーホィール５、および導光筒６を組み付ける組付部３１、プロジェクションレンズ１２を組み付ける組付部３２、ミラー７を組み付ける組付部３３、ＤＭＤ９、基板１０、およびヒートシンク１１を組み付ける組付部３４、リレイレンズ８を組み付ける組付部３５がそれぞれ上側キャスティング３Ａと一体で形成されている。
【００２３】
組付部３５には、リレイレンズ８を透過する光を遮ることなく、リレイレンズ８の両側端部８ｌ、８ｒに接してリレイレンズ８を所定の角度で支持する突起状の一対の支持台３６ｌ、３６ｒが形成されている。各支持台３６ｌ、３６ｒの先端（図１で上端）には、溝３７が前後方向（リレイレンズ８の厚み方向）へ延びるように設けられ、根元近傍には、貫通孔３８ｌ、３８ｒが設けられている。貫通孔３８ｌ、３８ｒの形状については後述する。光学系ユニット１Ａの組立工程では、上側キャスティング３Ａの内側を上方に向けた状態で、各組付部３１〜３５に上記各光学部品４〜１２を組み付けて行く。その際、リレイレンズ８は固定具２０によって支持台３６ｌ、３６ｒに固定され、リレイレンズ８以外の光学部品４〜７、９〜１２はネジ等により組付部３１〜３４に固定される。図ではリレイレンズ８のみ組み付けた状態を図示している。
【００２４】
固定具２０は、図５に示すように金属製（鋼等）のワイヤを略逆凹形に成形した弾性および耐候性（特に高い耐熱性）を有する部材である。固定具２０の上下に延びる両側部２０ｌ、２０ｒには、支持台３６ｌ、３６ｒに支持されたリレイレンズ８の両側端部８ｌ、８ｒの上側と下側を支持台３６ｌ、３６ｒに押え付ける押え部２０ｃが２つずつ設けられている。各押え部２０ｃは、両側部２０ｌ、２０ｒの上側と下側を前後方向（図５では奥行き方向、図１等でリレイレンズ８に向かう方向）へ山形に突出するように曲げて形成されている。両側部２０ｌ、２０ｒの先端（下端）には、上述した各貫通孔３８ｌ、３８ｒに挿入されて各貫通孔３８ｌ、３８ｒの縁に引っ掛かって抜け止めとなる返し部２０ｆ、２０ｇが設けられている。一方の返し部２０ｆは、一方の側部２０ｌの先端を図１等でリレイレンズ８に対して略垂直でかつリレイレンズ８から離れる方向（リレイレンズ８から組付部３２へ向かう方向）へ曲げて、該方向へ突出するように形成されている。他方の返し部２０ｇは、他方の側部２０ｒの先端を図１等でリレイレンズ８に対して略平行でかつ一方の返し部２０ｆから離れる方向（リレイレンズ８から組付部３１へ向かう方向）へ曲げて、該方向へ突出するように形成されている。両側部２０ｌ、２０ｒと左右に延びて両側部２０ｌ、２０ｒ間に架かる横架部２０ｂとの間には、各支持台３６ｌ、３６ｒの溝３７内に嵌入されて各支持台３６ｌ、３６ｒに引っ掛かる引っ掛け部２０ｄが設けられている。各引っ掛け部２０ｄは、両側部２０ｌ、２０ｒの上側を図１等でリレイレンズ８に対して略垂直でかつ支持台３６ｌ、３６ｒに向かう方向へ曲げ、さらにリレイレンズ８に対して略平行でかつ該レンズ８の中心に向かう方向へ曲げて、両側部２０ｌ、２０ｒから横架部２０ｂに渡って連続するように形成されている。各引っ掛け部２０ｄのリレイレンズ８と略垂直な部分２０ｅ（図５）の長さは、該部分２０ｅが支持台３６ｌ、３６ｒの溝３７内に嵌入されたときに、リレイレンズ８と略平行な部分２０ａ（図５）が各支持台３６ｌ、３６ｒの先端のリレイレンズ８と反対側の面に接するように設定されている。
【００２５】
一方の支持台３６ｌの根元近傍にある貫通孔３８ｌは、長円形に形成されていて、図３および図４に示すようにリレイレンズ８に対して略垂直でかつリレイレンズ８に近づく方向へ固定具２０の一方の返し部２０ｆを挿入可能な程度に拡げられている。他方の支持台３６ｒの根元近傍にある貫通孔３８ｒは、Ｌ字形に形成されていて、リレイレンズ８に対して略平行でかつ一方の貫通孔３８ｌに近づく方向へ固定具２０の他方の返し部２０ｇを挿入可能な程度に拡げられ、かつリレイレンズ８から離れる方向へ一方の貫通孔３８ｌと同程度に拡げられている。両貫通孔３８ｌ、３８ｒのお互いに遠い側の側壁３８ｊ、３８ｋ（図３）の間隔は、固定具２０の両側部２０ｌ、２０ｒの返し部２０ｆ、２０ｇ近傍のお互いに近い側の側面２０ｊ、２０ｋ（図５）の間隔より小さくなるように設定されている。
【００２６】
上側キャスティング３Ａの組付部３５にリレイレンズ８を組み付ける際は、上側キャスティング３Ａの内側と対向する側から、図３（ａ）に示すように支持台３６ｌ、３６ｒにリレイレンズ８を載置し、各貫通孔３８ｌ、３８ｒに固定具２０の両側部２０ｌ、２０ｒの先端を挿入する。このリレイレンズ８の載置と固定具２０の挿入は、どちらを先に行っても良い。固定具２０の挿入については、先にリレイレンズ８と平行に突出する返し部２０ｇのある側部２０ｒをＬ字形の貫通孔３８ｒに挿入し、次に両側部２０ｌ、２０ｒ先端をお互いに近づくように若干弾性変形させながら、リレイレンズ８と垂直に突出する返し部２０ｆのある側部２０ｌを長円形の貫通孔３８ｌに挿入すると、挿入し易く、しかも固定具２０が変形し難い。各貫通孔３８ｌ、３８ｒに両側部２０ｌ、２０ｒ先端を挿入すると、両側部２０ｌ、２０ｒに元の状態に戻ろうとする弾性力が働くので、両側部２０ｌ、２０ｒ先端の返し部２０ｆ、２０ｇ近傍部分が貫通孔３８ｌ、３８ｒの側壁３８ｊ、３８ｋに所定の圧力で接し、図４に示すように返し部２０ｆ、２０ｇが貫通孔３８ｌ、３８ｒの裏側の縁に引っ掛かる。そして、図３（ａ）の状態から固定具２０をリレイレンズ８側へ倒して、両側部２０ｌ、２０ｒの引っ掛け部２０ｄを、図３（ｂ）に示すように各支持台３６ｌ、３６ｒの溝３７内に嵌入して各支持台３６ｌ、３６ｒのリレイレンズ８と反対側に引っ掛ける。すると、固定具２０が弾性変形して、両側部２０ｌ、２０ｒの各押え部２０ｃでリレイレンズ８の両側端部８ｌ、８ｒを各支持台３６ｌ、３６ｒの側面に押え付けるので、リレイレンズ８が各支持台３６ｌ、３６ｒに固定された状態となる。そして、他の光学部品４〜７、９〜１２も上側キャスティング３Ａの組付部３１〜３４に固定した後、該上側キャスティング３Ａに図示しない下側キャスティングを嵌め合わせてネジ等で締結することにより、エンジンキャスティング３の組み立てを完了する。
【００２７】
以上によると、上側キャスティング３Ａの内側と対向する側から、リレイレンズ８を支持台３６ｌ、３６ｒに載置し、固定具２０の両側部２０ｌ、２０ｒ先端の各返し部２０ｆ、２０ｇを各貫通孔３８ｌ、３８ｒに挿入して各貫通孔３８ｌ、３８ｒの縁に引っ掛け、各引っ掛け部２０ｄを溝３７内に嵌入して各支持台３６ｌ、３６ｒに引っ掛けることにより、リレイレンズ８の両側端部８ｌ、８ｒが押え部２０ｃにより支持台３６ｌ、３６ｒに押え付けられるので、リレイレンズ８を支持台３６ｌ、３６ｒに簡単に固定することができる。つまり、固定具２０を他の光学部品４〜７、９〜１２と同様に、上側キャスティング３Ａの内側と対向する側から該キャスティング３Ａ内に組み付けることができるので、上側キャスティング３Ａの向きを変える等の手間が生じず、光学系ユニット１Ａの組立作業性の向上を図ることが可能となる。
【００２８】
また、各貫通孔３８ｌ、３８ｒには固定具２０の各返し部２０ｆ、２０ｇしか挿入されないので、各貫通孔３８ｌ、３８ｒを各返し部２０ｆ、２０ｇが挿入可能な程度に小さく形成することにより、該貫通孔３８ｌ、３８ｒからエンジンキャスティング３内へ塵埃を進入させ難くすることができ、防塵性の向上を図ることが可能となる。さらにこれを以って、プロジェクタ１００の投射映像の品位を長期間に渡って高く維持することも可能となる。
【００２９】
また、固定具２０の両返し部２０ｆ、２０ｇの突出方向、上側キャスティング３Ａの両貫通孔３８ｌ、３８ｒの拡張方向、および両貫通孔３８ｌ、３８ｒの間隔と固定具２０の両側部２０ｌ、２０ｒの間隔をそれぞれ異ならせているので、各返し部２０ｆ、２０ｇを各貫通孔３８ｌ、３８ｒに挿入して各貫通孔３８ｌ、３８ｒの裏側の縁に引っ掛けたときに、両側部２０ｌ、２０ｒの先端（返し部２０ｆ、２０ｇの近傍部分）と貫通孔３８ｌ、３８ｒの側壁３８ｊ、３８ｋとを所定の圧力で接触させて、固定具２０を貫通孔３８ｌ、３８ｒから抜け難くすることができる。また、一方の返し部２０ｆをリレイレンズ８から離れる方向へ突出させ、他方の返し部２０ｇを返し部２０ｆから離れる方向へ突出させ、一方の貫通孔３８ｌをリレイレンズ８に近づく方向へ返し部２０ｆを挿入可能な程度に拡げ、他方の貫通孔３８ｒを貫通孔３８ｌに近づく方向へ返し部２０ｇを挿入可能な程度に拡げているので、各返し部２０ｆ、２０ｇを各貫通孔３８ｌ、３８ｒに挿入したときに、各返し部２０ｆ、２０ｇを各貫通孔３８ｌ、３８ｒの裏側の縁に確実に引っ掛けて外れ難くすることができる。また、両貫通孔３８ｌ、３８ｒの間隔を固定具２０の両側部２０ｌ、２０ｒの間隔より小さくしているので、返し部２０ｆ、２０ｇを貫通孔３８ｌ、３８ｒの裏側の縁に引っ掛けたときに、両側部２０ｌ、２０ｒの先端が貫通孔３８ｌ、３８ｒの側壁３８ｊ、３８ｋから所定の圧縮力を受けてお互いに近づくように弾性変形し、さらに固定具２０の各引っ掛け部２０ｄを支持台３６ｌ、３６ｒに引っ掛けたときに、両側部２０ｌ、２０ｒから各引っ掛け部２０ｄに上記圧縮力が伝わって、各引っ掛け部２０ｄが支持台３６ｌ、３６ｒに食い込み、各引っ掛け部２０ｄを支持台３６ｌ、３６ｒから外れ難くすることができる。これらの結果、リレイレンズ８を支持台３６ｌ、３６ｒに固定した状態の耐振動性および耐衝撃性を著しく向上させることが可能となる。
【００３０】
さらに、固定具２０が耐候性、特に高い耐熱性を有しているので、光源２から発せられた光によりエンジンキャスティング３内が１００℃以上の高温になる等の悪環境になっても、固定具２０が変形したり損傷したりせず、固定具２０によってリレイレンズ８を支持台３６ｌ、３６ｒに安定して固定し続けることが可能となる。
【００３１】
本発明は、以上述べた実施形態以外にも種々の形態を採用することができる。また、以上の実施形態では、本発明をＤＬＰ方式のプロジェクタ１００におけるリレイレンズ８のエンジンキャスティング３への組み付けに適用した例を挙げているが、本発明はこれ以外にも、例えば液晶パネルを用いたプロジェクタやＣＲＴを用いたプロジェクタのような他の方式のプロジェクタにおける他のレンズのフレームへの取り付けに適用することが可能である。
【図面の簡単な説明】
【００３２】
【図１】本発明の実施形態の上側エンジンキャスティングの内側を示す図である。
【図２】同上側エンジンキャスティングの内側を示す図である。
【図３】同上側エンジンキャスティングの内側の要部拡大図である。
【図４】同上側エンジンキャスティングの外側の要部拡大図である。
【図５】本発明の実施形態の固定具を示す図である。
【図６】プロジェクタの概略構造を示す図である。
【図７】従来の下側エンジンキャスティングの内側を示す図である。
【図８】同下側エンジンキャスティングの外側を示す図である。
【図９】従来の固定具を示す図である。
【符号の説明】
【００３３】
１Ａ  光学系ユニット
３Ａ  上側エンジンキャスティング
８  リレイレンズ
８ｌ、８ｒ  側端部
２０  固定具
２０ｂ  横架部
２０ｃ  押え部
２０ｄ  引っ掛け部
２０ｆ、２０ｇ  返し部
２０ｌ、２０ｒ  側部
３６ｌ、３６ｒ  支持台
３７  溝
３８ｌ、３８ｒ  貫通孔
１００  プロジェクタ
【図１】
2007240770.tif 000003
【図２】
2007240770.tif 000004
【図３】
2007240770.tif 000005
【図４】
2007240770.tif 000006
【図５】
2007240770.tif 000007
【図６】
2007240770.tif 000008
【図７】
2007240770.tif 000009
【図８】
2007240770.tif 000010
【図９】
2007240770.tif 000011